(57)【要約】  【課題】座位状態にある患者の背中や肩に装着した電極板を，患者体表面に押しつけ可能とする。  【解決手段】背中を覆う本体部１０の上端左右位置から，上方へ伸ばして左右一対の延設部２０が延設される。延設部２０の基端部は肩を覆う肩覆い部１１であり，延設部２０の先端部はバランス部１２とされる。バランス部１２内に充・される重し材が，例えば粒状の鉛とされて，本体部１０内に充・される重し材（例えば砂）よりも比重の大きいものとされる。【選択図】  図１
2006095080.tif 000002
【特許請求の範囲】
【請求項１】
表面シートと裏面シートとの間の空間に重し材を充填してなる電気的刺激装置における電極板押さえ用重しマットにおいて，
患者の背中を覆うための本体部と，
前記本体部の一端側から延設され，患者の肩を覆うための左右一対の肩覆い部と，
前記各肩覆い部の先端から延設された左右一対のバランス部と，
からなり，
前記バランス部内に充填される重し材の比重が，前記本体部内に充填される重し材の比重よりも大きくされている，
ことを特徴とする電気的刺激装置における電極板押さえ用重しマット。
【請求項２】
請求項１において，
前記バランス部内に充填される重し材が，粒状の鉛とされている，ことを特徴とする電気的刺激装置における電極板押さえ用重しマット。
【請求項３】
請求項２において，
前記本体部内に充填される重し材が砂とされている，ことを特徴とする電気的刺激装置における電極板押さえ用重しマット。
【請求項４】
請求項１ないし請求項３のいずれか１項において，
前記肩覆い部内に充填される重し材が，前記本体部内に充填される重し材と同一とされている，ことを特徴とする電気的刺激装置における電極板押さえ用重しマット。
【請求項５】
請求項１ないし請求項３のいずれか１項において，
前記肩覆い部内に充填される重し材が，前記バランス部内に充填される重し材と同一とされている，ことを特徴とする電気的刺激装置における電極板押さえ用重しマット。
【請求項６】
請求項１ないし請求項５のいずれか１項において，
前記本体部と肩覆い部との間において，前記表面シートと裏面シートとが境界線を構成するように互いに連結されて，該本体部と肩覆い部との間で重し材が移動するのが規制され，
前記肩覆い部とバランス部との間において，前記表面シートと裏面シートとが境界線を構成するように互いに連結されて，該肩覆い部とバランス部との間で重し材が移動するのが規制されている，
ことを特徴とする電気的刺激装置における電極板押さえ用重しマット。
【請求項７】
請求項１ないし請求項６のいずれか１項において，
前記本体部と肩覆い部とバランス部との各部分に充填される重し材がそれぞれ，重し材が漏れ出ないようにされた内袋に充填された状態で前記表面シートと裏面シートとの間の空間に収納されている，ことを特徴とする電気的刺激装置における電極板押さえ用重しマット。
【請求項８】
請求項１ないし請求項７のいずれか１項において，
前記表面シートと裏面シートの外表面がそれぞれ大きな摩擦抵抗を有している，ことを特徴とする電気的刺激装置における電極板押さえ用重しマット。
【請求項９】
請求項１ないし請求項８のいずれか１項において，
前記本体部と，互いに一体とされた前記左側の肩覆い部およびバランス部とからなる左延設部と，互いに一体とされた前記右側の肩覆い部およびバランス部とからなる右延設部との３分割構成とされており，
前記本体部と左右の各延設部とが，連結具によって互いに着脱自在に連結可能とされている，
ことを特徴とする電気的刺激装置における電極板押さえ用重しマット。
【請求項１０】
請求項９において，
前記連結具が面ファスナとされて，該面ファスナの雄部と雌部とのいずれか一方が前記本体部に取付けられていると共に，該雄部と雌部との他方が前記各左右の延設部に取付けられている，ことを特徴とする電気的刺激装置における電極板押さえ用重しマット。
【発明の詳細な説明】
【技術分野】
【０００１】
本発明は，電気的刺激装置における電極板押さえ用重しマットに関するものである。
【背景技術】
【０００２】
低周波治療器等の電気的刺激装置の中には，電極板を患者体表面に押しつけておくために，重しマットが利用される場合がある。例えば，うつ伏せ状態の患者の背中に装着された電極板の上から重しマットを乗せておくことにより，重しマットの重量によって電極板（の電極）が確実に患者体表面に接触されることになる。電極板としては，特許文献１に示すように，例えば背中の広い範囲に渡って同時に多くの電極を接触させることのできるように，大きな面積を有する１つの保持板に多くの電極を装着したものもある。
【０００３】
ところで，患者の上半身が上下方向に伸びることとなる座位の状態でもって，電極板を患者の背中に対して装着することが望まれる場合が多々ある。この場合，重しマットは患者の背中からずり落ちてしまうので使用することができず，このため，患者の上半身に巻回されるベルトを利用して電極板を患者体表面に押しつけることが行われているが，ベルトを巻回する作業が面倒となる。また，患者の背中と共に，患者の肩（特に肩上面に位置する僧帽筋）をも合わせて治療することも多くなっているが，背中に装着した電極板と肩に装着した電極板とを共に患者体表面に押しつけておくには，面倒な巻回作業を要するベルトを利用するしかなかった。
【特許文献１】特開平２００３−３３９８８６号公報
【発明の開示】
【発明が解決しようとする課題】
【０００４】
本発明は以上のような事情を勘案してなされたもので，その目的は，患者が座位の状態であっても，患者の背中や肩に装着した電極板を患者体表面に押しつけておくことが可能な電気的刺激装置における電極板押さえ用重しマットを提供することにある。
【課題を解決するための手段】
【０００５】
前記目的を達成するため、本発明にあっては次のような解決手法を採択してある。すなわち、特許請求の範囲における請求項１に記載のように，
表面シートと裏面シートとの間の空間に重し材を充填してなる電気的刺激装置における電極板押さえ用重しマットにおいて，
患者の背中を覆うための本体部と，
前記本体部の一端側から延設され，患者の肩を覆うための左右一対の肩覆い部と，
前記各肩覆い部の先端から延設された左右一対のバランス部と，
からなり，
前記バランス部内に充填される重し材の比重が，前記本体部内に充填される重し材の比重よりも大きくされている，
ようにしてある。
【０００６】
上記解決手法によれば，重しマットは，座位状態にある患者の肩に肩覆い部が位置され，本体部が背中に位置されるように装着され，この状態で，バランス部は患者の肩より胸の前側に上下方向に伸びる状態とされる。背中に装着された電極板は本体部の有する重量によって患者に押しつけられ，肩に装着された電極板は肩覆い部の重量によって患者に押しつけられると共に，本体部やバランス部の重量をも受けて患者に押しつけられることになる。本体部が自重によってずり落ちようとするのが，バランス部の有する重量によって規制される。バランス部内の重し材の比重が大きいので，バランス部を短く設定することが可能となり，重しマットの取り扱いも容易となる。
【０００７】
上記解決手法を前提とした好ましい態様は、特許請求の範囲における請求項２以下に記載のとおりである。すなわち，
前記バランス部内に充填される重し材が，粒状の鉛とされている，ようにすることができる（請求項２対応）。この場合、バランス部内に充填される重し材を，安価で比重の極めて大きい鉛として，バランス部の占める面積を極力小さく設定する上で好ましいものとなる。
【０００８】
前記本体部内に充填される重し材が砂とされている，ようにすることができる（請求項３対応）。この場合、大きな面積を占める本体部内に充填される重し材を極めて安価としつつ，本体部の適度な重さを確保する上で好ましいものとなる。
【０００９】
前記肩覆い部内に充填される重し材が，前記本体部内に充填される重し材と同一とされている，ようにすることができる（請求項４対応）。この場合、肩覆い部の重量を比較的軽量に設定して，重しマット全体としての重量が重くなり過ぎないように設定する上で好ましいものとなる。
【００１０】
前記肩覆い部内に充填される重し材が，前記バランス部内に充填される重し材と同一とされている，ようにすることができる（請求項５対応）。この場合、肩覆い部の重量を比較的重く設定して，肩に装着される電極板を患者体表面にしっかりと押しつける上で好ましいものとなる。
【００１１】
前記本体部と肩覆い部との間において，前記表面シートと裏面シートとが境界線を構成するように互いに連結されて，該本体部と肩覆い部との間で重し材が移動するのが規制され，
前記肩覆い部とバランス部との間において，前記表面シートと裏面シートとが境界線を構成するように互いに連結されて，該肩覆い部とバランス部との間で重し材が移動するのが規制されている，
ようにすることができる（請求項６対応）。この場合、長期の使用によって，本体部と肩覆い部との間，あるいは肩覆い部とバランス部との間で重し材が勝手に移動してしまう事態を防止する上で好ましいものとなる。
【００１２】
前記本体部と肩覆い部とバランス部との各部分に充填される重し材がそれぞれ，重し材が漏れ出ないようにされた内袋に充填された状態で前記表面シートと裏面シートとの間の空間に収納されている，ようにすることができる（請求項７対応）。この場合、重し材が外部に漏れ出てしまう事態を確実に防止する上で好ましいものとなる。また，重しマットの表面材となる表面シートや裏面シートの材質等の選択の自由度が高くなる。
【００１３】
前記表面シートと裏面シートの外表面がそれぞれ大きな摩擦抵抗を有している，ようにすることができる（請求項８対応）。この場合、摩擦抵抗をも利用して，座位状態にある患者の背中に装着した本体部がずり落ちてしまう事態をより確実に防止することができる。
【００１４】
前記本体部と，互いに一体とされた前記左側の肩覆い部およびバランス部とからなる左延設部と，互いに一体とされた前記右側の肩覆い部およびバランス部とからなる右延設部との３分割構成とされており，
前記本体部と左右の各延設部とが，連結具によって互いに着脱自在に連結可能とされている，
ようにすることができる（請求項９対応）。この場合、本体部のみを患者に対して使用する状態と，本体部に対して左右の各肩覆い部およびバランス部とを一体化して使用する状態とを使い分けすることができる。
【００１５】
前記連結具が面ファスナとされて，該面ファスナの雄部と雌部とのいずれか一方が前記本体部に取付けられていると共に，該雄部と雌部との他方が前記各左右の延設部に取付けられている，ようにすることができる（請求項１０対応）。この場合、面ファスナは極めて容易に係合，係合解除できるので，上記使い分けのための連結と連結解除とを極めて容易に行うことができる。
【発明の効果】
【００１６】
本発明によれば，患者が座位の状態であっても，患者の背中や肩に装着した電極板を患者体表面に押しつけておくことが可能な重しマットが提供される。
【発明を実施するための最良の形態】
【００１７】
図１〜図３において，全体的に薄いマット状とされた重しマットＭは，それぞれ可撓性を有する表面シート１と裏面シート２とを有している。表面シート１と裏面シート２との外周縁部同士が，その全周に渡って例えば融着や接着によって接合（一体化）されて，閉じられた薄い袋を構成している。このような両シート１と２との間の空間に，重し材３Ａあるいは３Ｂが充・されている。
【００１８】
重しマットＭは，患者Ｋ（図４参照で成人を対象）の背中を覆うための本体部１０と，本体部１０の上端左右から伸びる左右一対の延設部２０とを有する。延設部２０の基端部が，患者Ｋの肩を覆うための肩覆い部１１とされ，延設部２０の先端部が，肩覆い部１１の先端からさらに延設されたバランス部１２とされている。各部分１０〜１２は互いに一体とされている。
【００１９】
左右一対の延設部２０（肩覆い部１１とバランス部１２）同士の間隔（左右間隔）は，患者Ｋの首が間に位置できような大きさに設定されている。より具体的には，延設部２０は，その外側縁が，本体部１０の外側縁と同一直線上に位置するように設定される一方，延設部２０の内側縁は，先端に向かうにつれて徐々に外方に向かうようにされて，延設部２０全体としては，先端に向かうにつれて徐々に左右幅が小さくなるように設定されている。つまり，左右一対の延設部２０の間隔が，先端に向かうにつれて徐々に大きくなるように設定されている。これにより，延設部２０が，本体部１０よりも左右外方側に出っ張らない形状とされ，また，左右一対の延設部２０の間に患者Ｋの首を容易に位置させることのできる形状設定となっている。
【００２０】
本体部１１は，ほぼ方形とされて，患者Ｋの背中部分を略全体的に覆うような大きさに設定されている（実施形態では，左右幅が約４４ｃｍで，上下幅が約４２ｃｍに設定）。肩覆い部１１は，患者Ｋの肩をほぼ全面的に上方から覆うためのもので，その上下長さ（本体部１０からの延設長さ）は約１０ｃｍに設定され，その基端部での左右長さが約１５ｃｍに設定されている。バランス部１２は，後述するように，本体部１１と間での重さを調整するためのものであり，その上下長さ（肩覆い部１１からの延設長さ）は約９ｃｍに設定され，その先端での左右幅は約１０ｃｍに設定されている。
【００２１】
本体部１０内に充・された重し材３Ａおよび肩覆い部１１内に充・された重し材３Ａは，それぞれ砂とされている。この一方，バランス部１２内に充・された重し材３Ｂは，重し材３Ａよりも比重の大きい材料が用いられ，実施形態では粒状の鉛とされている。実施形態では，各重し材３Ａ，３Ｂは，それぞれ，防水性を有するシート材によって形成された内袋３０内に収納された状態で，各シート１と２との間の空間内に収納されている。
【００２２】
本体部１０は，平面視において，複数（実施形態では１０個）の領域１０ａ〜１０ｈに区分けされている。すなわち，それぞれ左右方向に伸びる上下２本の区画線ａ１，ａ２が設定される一方，それぞれ上下方向に伸びる左右３本の区画線ｂ１〜ｂ３が設定されている。各区画線ａ１，ａ２およびｂ１〜ｂ３は，例えば，表面シート１と裏面シート２とを，上記区画線に沿って融着や接着することにより形成されている。そして，上記各領域１０ａ〜１０ｈ内に，それぞれ，重し材３Ａを充・してなる小さな内袋３０が１個ずつ収納されている。このように，区画線ａ１，ａ２およびｂ１〜ｂ３の設定，および重し材３Ａを内袋３０内に収納した状態で重しマットＭ内に充・することによって，重しマットＭの使用によって重し材３Ａが大きく移動してしまう事態が防止される（本体部１０のほぼ全領域に渡って略均一に重し材３Ａが分散された状態の維持）。
【００２３】
同様に，各肩覆い部１１は，それぞれ左右方向に伸びる上下２本の区画線ｃ１，ｃ２によって２個の領域１１ａ，１１ｂに区画されている。区画線ｃ１，ｃ２の形成方法は，区画線ａ１，ａ２およびｂ１〜ｂ３形成方法と同じである。そして，上記各領域１１ａ，１１ｂ内に，それぞれ，重し材３Ａを充・してなる小さな内袋３０が１個ずつ収納されている。なお，上記区画線ａ１が本体部１０と肩覆い部１１との境界線を構成し，区画線ｃ１が肩覆い部１１とバランス部１２との境界線を構成する。
【００２４】
バランス部１２内には，重し材３Ｂを充・してなる内袋３０が１個収納されている。バランス部１２の面積は比較的小さい一方，このバランス部１２そのものは基本的に電極板を押しつける作用を必要としないので，複数の領域に区画するための区画線は設定されていないが，適宜複数の領域に区画することもできる。
【００２５】
各シート１と２は，織布，不織布等を問わず適宜のシート材によって形成することができるが，防水性を有するシート材によって構成するのが，使用によって生じる患者Ｋの汗や導電性向上のための液体（通常は水）が内部に浸みこむのを防止する上で好ましいものとなる。各Ｋシート１，と２との各外表面は，例えば起毛処理（例えばスエード調）やざらざらした細かい凹凸を形成する等により，摩擦抵抗が大きくなるように設定されている。
【００２６】
以上のような構成において，図４に示すように，座位状態にある患者Ｋの背中および肩上面に電極板４０を装着した状態で，この各電極板４０の上から重しマットＭが載せられる。すなわち，背中に装着した電極板４０上に本体部１０が位置するように，また肩に装着した電極板４０上に肩覆い部１１が位置するように装着され，この状態では，バランス部１２が，患者Ｋの胸の位置でもって上下方向に伸びる状態とされる。背中に装着された電極板４０は，本体部１０の有する重量によって，患者Ｋ側に押しつけられることになる。肩に装着された電極板４０は，肩覆い部１１の重量によって患者Ｋ側に押しつけられるが，本体部１０やバランス部１２の重量をも受けて患者Ｋ側に押しつけられることになる。なお，重しマットは，患者Ｋの背中に対してのみ電極板４０が装着されている状態（肩に電極板が装着されないとき）や，肩にのみ電極板４０が装着されている状態でも，同様に使用可能である。また，重しマットＭは，表裏反転させても同じように使用可能とさいる。
【００２７】
このように，背中と肩とに装着された電極板４０を患者Ｋ側に押しつけておく機能を，重しマットＭを図４に示すように患者Ｋに載せるだけという極めて簡単な作業でもって得ることができる。重し材３Ａ，３Ｂは，内部で若干３次元的に流動できるので，重しマットＭのうち特に患者Ｋ側の面が，電極板４０が装着された状態での患者体表面形状に沿って容易に変形して，電極板４０を全体的に患者Ｋに押しつけておくことができる（図４では，重しマットＭの存在を明確にするために，患者体表面に沿う変形は示していない）。また，肩の上面に沿うように配設すべき肩覆い部１１を，背部側（背中側）と正面側（胸側）との２つの区画領域１１ａ，１１ｂに区画してあるので，側面視においてかなり大きく上方に凸となるように湾曲することが可能であり，肩に装着した電極板４０を全体的に押しつけるようにする上で好ましいものとなる。
【００２８】
本体部１０の有する重量はかなり大きくなる一方，本体部１０には下方への重力も作用するので，本体部１０つまり重しマットＭがずり落ちようとするが，このずり落ちが，バランス部１２の有する重量によって規制され，重しマットＭは図４に示す装着状態が維持されることになる。また，重しマットＭの表面の摩擦抵抗を大きく設定しておくことにより，重しマットＭのずり落ちが一層確実に防止されることになる。なお，座位状態にある患者Ｋが若干前屈みとなることことにより，重しマットＭのずり落ち防止の上でより一層好ましいものとなる。
【００２９】
患者Ｋが，うつ伏せ状態のときにも，重しマットＭは同様に使用できる。すなわち，ベッドの上で，胸当て板をあてられた状態の患者Ｋの肩の位置は，ベッド面から若干高い位置となって，バランス部１２がほぼまっすぐ下方へ伸びて，バランス部１２の有する重量をも利用して，肩に装着された電極板４０を肩覆い部１１によって患者Ｋ側に押しつけておく作用が得られることになる。このとき，バランス部１２が短いことにより，バランス部１２の全てあるいはその大部分がベッド面に当たらない状態で下方へ伸びる状態が確保されて，バランス部１２の重量を肩に装着された電極板押圧用として有効に利用できることになる。なお，背中への電極板の装着部位にもよるが，うつ伏せ状態のときに，バランス部１２が肩の上面に装着された電極板の上に位置するようにして使用することも可能である。
【００３０】
ここで，バランス部１２は，前述のように，本体部１０の有する重量に起因する重しマットＭのずり落ち防止である。したがって，バランス部１２内に充・する重し材として，本体部１０内に充・した重し材と同一の重し材を用いることが考えられる。しかしながらこの場合は，バランス部１２を，必要重要確保するためにはかなり長く設定する必要があり，その取扱いがかなり面倒になってしまう。また，バランス部１２があまり長くなりすぎることは，重しマットＭを例えばうつ伏せ状態の患者Ｋに対して同様に使用する場合に，バランス部のかなりの部分が患者Ｋがうつ伏せとなっているベッド面に当たった状態となって，邪魔になるばかりでなく，バランス部１２の重量を利用して患者Ｋの肩に装着された電極板の押しつけ作用を得るということも難しいものとなる。
【００３１】
図５は，本発明の別の実施形態を示すものである。本実施形態では，左右一対の延設部２０（肩覆い部１１，バランス部１２）を，それぞれ本体部１０とは別体に形成してある。すなわち，重しマットＭを，本体部１０と，左延設部２０（左肩覆い部１１，バランス部１２）と，右延設部２０（左肩覆い部１１，バランス部１２）との３ピース構造としてある。そして，本体部１０と各延設部２０とを，使用状態に応じて，適宜連結，連結解除するようにしてある。この連結と連結解除のために，本体部１０のうち延設部２０側の左右各端部に両面ファスナの例えば雄部５０ａを取付けておく一方，延設部２０の基端部（肩覆い部１１の本体部１０側端部）には，両面ファスナの例えば雌部５０ｂを設けてある。
【００３２】
図４のような使用態様のときは，両面ファスナの雄部５０ａと雌部５０ｂとを係合させて，図１に示すような各部分１０と２０（１１，１２）とが一体とされた状態とすればよい。背中のみを治療する患者の場合には，雄部５０ａと雌部５０ｂとの係合を解除して，本体部１０のみとされた状態で使用すればよい。なお，本体部１０側に両面ファスナの雌部５０ｂを設け，延設部２０側に雄部５０ａを設けても良い。また，本体部１０と延設部２０との連結，連結解除を行う連結具としては，両面ファスナ以外に，例えばホックや線ファスナ等を用いることもできるが，連結具として両面ファスナを用いるのが，その係合，係合解除作業を極めて容易にできることから好ましいものである。
【００３３】
以上実施形態について説明したが、本発明は、実施形態に限定されるものではなく、特許請求の範囲の記載された範囲において適宜の変更が可能であり、例えば次のような場合をも含むものである。肩覆い部１１内に充・する重し材としては，バランス部１２内に充・する重し材と同一のものを用いるようにしてもよい。また，各部部分１０〜１２内に充・する重し材をそれぞれ互いに相違するものとしてもよい。重し材としては，水等の液体やゲル材のような非金属や，鉛以外の適宜の金属（安価な金属）を用いることができる。本体部１０や肩覆い部１１での区画領域の設定は任意であり，例えば肩覆い部１１を複数の領域に区画しないように設定することもできる。内袋３０を用いることなく，重し材を直接各シート１と２との間の空間に充・するようにしてもよい。表面シート１と裏面シート２とは，２枚のシートから構成することなく，全体的に１枚のシートを２つ折りすることにより構成することもできる。本発明の目的は、明されたものに限らず、実質的に好ましいあるいは利点として表現されたものを提供することをも暗黙的に含むものである。
【図面の簡単な説明】
【００３４】
【図１】本発明の一実施形態を示すもので，重しマットの平面図。
【図２】図１のＸ２−Ｘ２線相当断面図。
【図３】図１のＸ３−Ｘ３線相当断面図。
【図４】図１に示す重しマットの使用例を示す側面図。
【図５】本発明の別の実施形態を示す要部側面断面図。
【符号の説明】
【００３５】
Ｍ：重しマット
１：表面シート
２：裏面シート
３Ａ：重し材（砂）
３Ｂ：重し材（鉛）
１０：本体部
１０ａ〜１０ｈ：本体部の区画領域
１１：肩覆い部
１１ａ，１０ｂ：肩覆い部の区画領域
１２：バランス部
２０：延設部（肩覆い部とバランス部）
３０：内袋
４０：電極板
５０ａ：両面ファスナの雄部
５０ｂ：両面ファスナの雌部
ａ１，ａ２：区画線
ｂ１〜ｂ３：区画線
ｃ１，ｃ２：区画線
【図１】
2006095080.tif 000003
【図２】
2006095080.tif 000004
【図３】
2006095080.tif 000005
【図４】
2006095080.tif 000006
【図５】
2006095080.tif 000007